(57)【要約】【課題】重ね式接合構造の波形屋根の場合において、波形屋根の上面に突設したボルト体に、鍔片間でずれが発生するおそれがなく、確実、強固にかつ安定した状態に取り付けることができる屋根上取付具を提供する。【解決手段】一対の挟持部材１０を開閉自在に支点連結して挟持具１を形成し、挟持具１の作用点とされる一対の鍔片１３を相互近接させ固定して、波形屋根３０の頂部３１ａより突出したボルト体Ｂに挟着させる構造とした屋根上取付具Ａであって、挟持部材１０の鍔片１３の先端部１３ａには、相互に対向し、内周が円弧形に湾曲した分割雌ネジ凹所１３ａａが形成されており、両分割雌ネジ凹所１３ａａは、ボルト体Ｂの雄ネジ部Ｂ１を挟み込んで噛合する構造となっている。【選択図】図１
2011047145.tif 000002
【特許請求の範囲】
【請求項１】
一対の挟持部材を開閉自在に支点連結して挟持具を構成し、該挟持具の作用点とされる相対向する一対の鍔片を相互近接させ固定して、波形屋根の頂部より突出したボルト体に挟着させる構造とした屋根上取付具であって、
上記挟持部材の鍔片の先端部には、相互に対向し、内周が円弧形に湾曲した分割雌ネジ凹所が形成されており、
上記両分割雌ネジ凹所は、上記ボルト体の雄ネジ部を挟み込んで噛合する構造となっていることを特徴とする屋根上取付具。
【請求項２】
請求項１において、
上記挟持部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる上記鍔片とより構成されており、
上記挟持具は、上記２つの挟持部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟持具締付ボルトを通し、締付ナットを螺合することで上記鍔片の先端同士を近接させる構造としている屋根上取付具。
【請求項３】
請求項１または２において、
上記分割雌ネジ凹所は、上記鍔片の先端部の辺縁を切り欠いて形成されている屋根上取付具。
【請求項４】
請求項１〜３のいずれか１項において、
上記鍔片の先端部には、該先端部から上方に延びる起立片がさらに形成されており、
上記分割雌ネジ凹所は、上記起立片の上下方向に凹溝状に形成されている屋根上取付具。
【発明の詳細な説明】
【技術分野】
【０００１】
本発明は、波形屋根の上面に突出したボルト体に挟着させて屋根上に取り付ける屋根上取付具に関する。
【背景技術】
【０００２】
一般に、折板屋根（角波形屋根）、丸波形屋根等の波形屋根の上面に、例えばテレビアンテナや空調機器、屋上緑化トレイ、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
具体的には、特許文献１に記載の屋根上取付具は、下方に向けて拡開した、２つの挟持部材よりなる挟持具の交差状に連結した両上板に、挟持具締付ボルトを貫通させたうえで締付ナットを螺合し、脚片の下端から相対向した両鍔片を鋏のごとく近接させて、波形屋根の頂部における屋根材のハゼ式の接合により形成されたハゼ部に挟着させて取り付ける構造となっている。
【０００４】
同文献に記載された屋根上取付具は、２つの挟持部材よりなる挟持具を、開閉自在の緩んだ状態から、挟持具締付ボルト、締付ナットによる螺合により上板を締め付けて固定する構造となっているため、操作を容易に行うことができ、さらに締付操作をするための締付ナットを上板の上面側に配しているため、螺合する際の作業性はきわめてよい。また、挟持具締付ボルトを上板のボルト貫通孔に下方より貫通させる際の作業性をよくするために、鍔片の先端中央に半円状の切欠き凹部が形成されている。
【先行技術文献】
【特許文献】
【０００５】
【特許文献１】特許第３３６８３７４号
【発明の概要】
【発明が解決しようとする課題】
【０００６】
しかしながら、上記特許文献１に記載の屋根上取付具では、上板に形成された切り溝同士で噛み合わせ可能にした２つの挟持部材を組み合わせて開閉自在な挟持具を構成しているため、締め付けたときに、２つの挟持部材の鍔片が水平方向にわずかにずれるおそれがある。特に、上板の切り溝やボルト貫通孔には、作業時の開閉操作をスムーズにさせるための遊びが含まれているので、その遊びによって大きなずれが発生する可能性もある。
【０００７】
このように、上記文献の屋根上取付具は、ずれが発生するおそれがあるため、水平方向の多少のずれが起こっても問題のない、ハゼ部への装着に限定したものと想定でき、波形屋根の重ね式接合に使用されるボルト体への装着については全く想定していないものと考えられる。このことは、上記文献において、鍔片の先端中央に施工性をよくするための切欠き凹部を設けたことからも想定できる。
【０００８】
かりに、鍔片の先端中央に切欠き凹部が形成されておらず、先端が直線状で平行に向かい合う形状であったとしても、そのような形状では、波形屋根の上面に突出した円柱状のボルト体に対してずれなく装着させることが、きわめて困難であると予想される。
【０００９】
このような事情から、上記文献の屋根上取付具のごとく２つの挟持部材で構成した挟持具を、波形屋根の上面に突出した円柱状のボルト体へ装着させるためには、ボルト体との間でずれが発生し得ないような特殊な係止構造を有することが必要とされるが、そのようなものは現在のところ提案されていない。
【００１０】
また、重ね式接合構造の波形屋根では、波形屋根の上面に、上記ボルト体に螺着されるナットが配されているから、そのナットよりも上方位置に屋根上取付具を取り付ける必要があり、そのため、屋根上取付具を屋根に密着した状態で取り付けることはできず、かりに２つの挟持部材の両鍔片がボルト体に挟着できたとしても、不安定になってしまうおそれがある。
【００１１】
本発明は、このような事情を考慮して提案されたもので、その目的は、重ね式接合構造の波形屋根の場合において、その波形屋根の上面に突設したボルト体に、鍔片間でずれが発生するおそれがなく、確実、強固にかつ安定した状態に取り付けることができる屋根上取付具を提供することにある。特に、一対の挟持部材よりなる挟持具を採用した屋根上取付具において、ボルト体への確実な装着を可能にすることを主たる目的としている。また、部品点数を減らすことも本発明の目的に含まれる。
【課題を解決するための手段】
【００１２】
上記目的を達成するために、請求項１に係る屋根上取付具は、一対の挟持部材を開閉自在に支点連結して挟持具を構成し、挟持具の作用点とされる相対向する一対の鍔片を相互近接させ固定して、波形屋根の頂部より突出したボルト体に挟着させる構造とした屋根上取付具であって、挟持部材の鍔片の先端部には、相互に対向し、内周が円弧形に湾曲した分割雌ネジ凹所が形成されており、両分割雌ネジ凹所は、ボルト体の雄ネジ部を挟み込んで噛合する構造となっていることを特徴とする。
【００１３】
請求項２に係る屋根上取付具は、挟持部材は、中央にボルト貫通孔が開設され、ボルト貫通孔から一方の側端縁に至る切り溝が形成された上板と、上板の基端より下方に延びる脚片と、脚片の下端から上板と略同一の方向に延びる鍔片とより構成されており、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としている。
【００１４】
請求項３に係る屋根上取付具は、分割雌ネジ凹所が鍔片の先端部の辺縁を切り欠いて形成されている。
【００１５】
請求項４に係る屋根上取付具は、鍔片の先端部に先端部から上方に延びる起立片がさらに形成されており、分割雌ネジ凹所は起立片の上下方向に凹溝状に形成されている。
【発明の効果】
【００１６】
本発明によれば、次のような効果がある。
【００１７】
すなわち、請求項１に係る屋根上取付具によれば、両鍔片のそれぞれの先端部に、相互に対向し、内周が円弧形に湾曲した分割雌ネジ凹所が形成され、その分割雌ネジ凹所がボルト体の雄ネジ部を挟み込んで噛合する構造となっているので、鍔片間にずれが発生することなく、鍔片をボルト体に強固に挟着させることができる。また、鍔片に雌ネジ構造が備わっているので、ボルト体と螺合するナットを必要とせず、部品点数を減らすことができる。さらに、ナットが不要なため、鍔片を波形屋根の上面に密着させることができ、屋根上取付具を波形屋根に対して、安定して強固に取り付けることができる。もちろん、ハゼ式の場合にも、鍔片をハゼ部の脚部に挟着させて取り付けることができる。
【００１８】
また、屋根上取付具が２つの挟持部材を用いた構造であり、閉操作時に遊び等による水平方向のずれが発生する可能性があるが、２つの分割雌ネジ凹所でボルト体を挟み込む構造であるため、そのようなずれが発生するおそれはない。
【００１９】
このように、本発明の屋根上取付具によれば、１つの屋根上取付具だけで、ハゼ部だけでなく、重ね式接合構造の折板屋根に対しても簡単かつ確実に取り付けできる。
【００２０】
また、ボルト体に挟着させる挟持具が一対の挟持部材を支点連結して形成されているので、力点部分を操作するだけで容易に、作用点とされる一対の鍔片を相互近接させることができ、ボルト体への挟着作業を簡便に行える。
【００２１】
請求項２に係る屋根上取付具によれば、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としているので、２枚重なった上板を挟持具締付ボルトと締付ナットで上下方向に締め付けるだけで容易に鍔片をボルト体に挟着させることができる。特に、締付ナットを上板の上面側に配するようにすれば、さらに締付操作を簡単に行える。
【００２２】
さらに、挟持具が２つの挟持部材で構成され、それらが開閉自在に支点連結されているので、挟持具締付ボルトと締付ナットとが緩んだ状態にあるときは、２つの挟持部材も緩んだ状態にある。そのため、鍔片を閉状態に固定するためには緩んだ締付ナットを締め付けて上板同士を固定するだけでよく、そのような締め付けは手操作でもできるため施工性がよい。
【００２３】
請求項３に係る屋根上取付具では、分割雌ネジ凹所が鍔片の先端部の辺縁を切り欠いた形状となっているので、特別な部材を必要とせず雌ネジ構造を形成できる。
【００２４】
請求項４に係る屋根上取付具では、分割雌ネジ凹所が鍔片の先端部から延びた起立片の上下方向に凹溝状に形成されているため、ボルト体の雄ネジ部のほぼ全長に対して噛合することができ、屋根上取付具を波形屋根に強固に取り付けることができる。
【図面の簡単な説明】
【００２５】
【図１】本発明に係る屋根上取付具の第１の実施形態の説明図であり、屋根上取付具を波形屋根へ取り付ける前の状態を示す分解斜視図である。
【図２】同屋根上取付具を波形屋根へ取り付けた状態を示す斜視図である。
【図３】同屋根上取付具の分解斜視図である。
【図４】（ａ）、（ｂ）は、同屋根上取付具の施工状態を示す部分断面正面図である。
【図５】（ａ）、（ｂ）は、同屋根上取付具の施工状態を示す部分断面正面図である。
【図６】同屋根上取付具の他の波形屋根への取付例を示す分解斜視図である。
【図７】本発明に係る屋根上取付具の第２の実施形態の説明図であり、屋根上取付具を波形屋根へ取り付ける前の状態を示す分解斜視図である。
【図８】同屋根上取付具を波形屋根へ取り付けた状態を示す斜視図である。
【図９】同屋根上取付具の分解斜視図である。
【図１０】（ａ）、（ｂ）は、同屋根上取付具の施工状態を示す部分断面正面図である。
【図１１】（ａ）、（ｂ）は、同屋根上取付具の施工状態を示す部分断面正面図である。
【図１２】（ａ）、（ｂ）は、本発明に係る屋根上取付具のさらに他の実施形態を示す概略説明図である。
【発明を実施するための形態】
【００２６】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２７】
図１は、本発明に係る屋根上取付具の第１の実施形態の説明図であり、屋根上取付具を波形屋根へ取り付ける前の状態を示す分解斜視図を示している。図２は、同屋根上取付具を波形屋根へ取り付けた状態を示す斜視図である。図３は、同屋根上取付具の分解斜視図である。また、図４（ａ）、（ｂ）および図５（ａ）、（ｂ）は、同屋根上取付具の施工状態を示す断面図である。
【００２８】
本実施形態に使用される折板屋根３０は、山部３１と谷部３２とが交互に連続する屋根であって、複数の折板屋根材を側端縁の山部３１の頂部３１ａで重合し、その重合部３０ａでボルト体Ｂと、後述する屋根上取付具Ａの分割雌ネジ凹所１３ａａとの螺着によって連結した重ね式接合構造となっている。また、ボルト孔３０ｂからの水浸入を防止するために、頂部３１ａ上面のボルト孔３０ｂの周辺等に防水パッキン（図示省略）を取り付けることが望ましい。
【００２９】
一方、屋根上取付具Ａは、金属板または硬質樹脂板よりなり、折板屋根３０の頂部３１ａより上方に突出した重合部連結用の上記ボルト体Ｂに挟着して、取付、固定する構造となっている。
【００３０】
この屋根上取付具Ａは、一対の挟持部材１０を開閉自在に支点連結して挟持具１を構成し、挟持具１の作用点とされる相対向する一対の鍔片１３を相互近接させ固定して、折板屋根３０の頂部３１ａより突出したボルト体Ｂに挟着させる構造とした取付具であって、鍔片１３の先端部１３ａには、相互に対向し、内周が円弧形に湾曲した分割雌ネジ凹所１３ａａが形成されており、それら２つの分割雌ネジ凹所１３ａａは、ボルト体Ｂの雄ネジ部Ｂ１を挟み込んで噛合する構造となっている。
【００３１】
まず、本発明の特徴である、鍔片１３の分割雌ネジ凹所１３ａａによるボルト体Ｂへの挟着構造を除く挟持具１の全体構造について説明する。
【００３２】
挟持具１を構成する一対の挟持部材１０のそれぞれは、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる鍔片１３とより構成されている。
【００３３】
挟持具１は、上記２つの挟持部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟持具締付ボルト２１を通し、締付ナット２２を螺合することで鍔片１３の先端部１３ａ同士を近接させる構造となっている。
【００３４】
ここで、挟持具締付ボルト２１としては、図示するように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂等より製され、孔２３ａの周縁に複数の切り込み２３ｂが形成してある。
【００３５】
以上の構造を要約すれば、２つの挟持部材１０は上板１１に形成され重なり合った切り溝１１ｄで交差状に連結され、挟持具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけ、それによって作用点とされる両鍔片１３を相互近接させるような変形鋏構造となっている。
【００３６】
また、さらに具体的には、図３に示すように、上板１１は平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは、段差部１１ｃに沿って形成されている。なお上板１１は、全体として緩い前方傾斜状となっていることが望ましい。
【００３７】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟持部材１０の上板１１の先端部１１ｂとの間の隙間がより小さくなって、ぐらつくおそれのない、より安定した形状とすることができる。
【００３８】
このような屋根上取付具Ａによれば、挟持具１が２つの挟持部材１０で構成され、それらが開閉自在に支点連結されているので、挟持具締付ボルト２１と締付ナット２２とが緩んだ状態にあるときは、２つの挟持部材１０も緩んだ状態にある。そのため、鍔片１３を閉状態に固定するためには、締付ナット２２を締め付けて上板１１同士を固定するだけでよく、施工性がよい。
【００３９】
ついで、本発明の特徴である、屋根上取付具Ａの鍔片１３によるボルト体Ｂへの挟着構造について詳述する。
【００４０】
２つの挟持部材１０の鍔片１３のそれぞれの先端部１３ａには、両先端部１３ａがボルト体Ｂの雄ネジ部Ｂ１に挟着したときに、両方で雌ネジ部を構成する分割雌ネジ凹所１３ａａが形成されている。この分割雌ネジ凹所１３ａａは、相互に対向した位置にあり、先端部１３ａの辺縁中央を円弧形（図例では半円形）に切り欠いた形状となっており、その内周面にはネジ溝が切られている。つまり、鍔片１３の先端部１３ａ同士がほぼ接触した状態になると、近接した両分割雌ネジ凹所１３ａａによって、連続した両鍔片の中央には半円ずつに分離された円形の仮想の貫通ネジ孔が形成される。
【００４１】
この屋根上取付具Ａが折板屋根３０に正しく取り付けられたときには、図２に示すように、２つの分割雌ネジ凹所１３ａａが結合されてできた仮想の貫通ネジ孔にボルト体Ｂの雄ネジ部Ｂ１が嵌挿されるように、鍔片１３による隙間のない挟着状態が形成される。このとき、雄ネジ部Ｂ１と分割雌ネジ凹所１３ａａとは、ネジ溝とネジ山が相互に噛み合って、強固な挟着関係が形成される。
【００４２】
なお、この例では、両分割雌ネジ凹所１３ａａによって円形を形成して、ボルト体Ｂの雄ネジ部Ｂ１の全周にわたって噛合できるものを示したが、雄ネジ部Ｂ１の周囲の一部に噛合できるものであってもよい。つまり、各分割雌ネジ凹所１３ａａは、半円に満たない扇形の円弧をなすものでもよい。
【００４３】
また、このように雄ネジ部Ｂ１と分割雌ネジ凹所１３ａａとは螺合関係にあるため、図４、５で詳述するように、屋根上取付具Ａを回転させて螺進させながら、屋根上取付具Ａと折板屋根３０との間に隙間ができないように、確実に折板屋根３０に固定させることができる。
【００４４】
また、屋根上取付具Ａが２つの挟持部材１０よりなる挟持具１で構成されているため、挟持対象の存在しない状態で鍔片１３を近接させると、上板１１のボルト貫通孔１１ｅに形成された遊び等により両鍔片１３の先端が相互に水平方向にずれるおそれがあるが、ボルト体Ｂに対して両鍔片１３の分割雌ネジ凹所１３ａａによって挟持、螺合する構造であるため、ボルト体Ｂを挟持対象とする限りは、そのようなずれが発生するおそれはない。かりに、少しのずれがある状態でボルト体Ｂを挟持したとしても、分割雌ネジ凹所１３ａａによりボルト体Ｂを挟み込んでいるため、ずれが大きくなることはない。
【００４５】
以上のように構成した屋根上取付具Ａは、以下の要領で折板屋根３０に取り付けて使用する。なお、ボルト体Ｂはあらかじめ折板屋根３０の頂部３１ａに突設させておくが、ナットで固定していないため屋根上取付具Ａの取付作業中にボルト体Ｂが外れることを防止して、ボルト体Ｂを仮止めするボルト止め（不図示）を用いることが望ましい。
【００４６】
まず、屋根上取付具Ａを挟持具１の両鍔片１３が十分に開いた状態、つまり挟持具締付ボルト２１、締付ナット２２の螺合を緩めて、２つの挟持部材１０を開閉自在に支点連結しておき、折板屋根３０に立設されたボルト体Ｂの上方から、両鍔片１３間の間隙Ｓを通じてボルト体Ｂを嵌挿するようにして、屋根上取付具Ａを折板屋根３０の頂部３１ａの上面に載置する（図４（ａ）、（ｂ）を参照）。
【００４７】
次に、仮止め状態にしていた挟持具締付ボルト２１および締付ナット２２を締め付けていくと、揺動自在の緩んだ状態で交差状に重合していた両上板１１が平板状に近づき、それと同時に両脚片１２の下端より延びた両鍔片１３も互いに近接して、両分割雌ネジ凹所１３ａａが相互に近づき、ボルト体Ｂの雄ネジ部Ｂ１をその周囲を取り囲むように挟み込むとともに、分割雌ネジ凹所１３ａａと雄ネジ部Ｂ１とが相互に噛み合って、螺合関係を形成する（図４（ｂ）、図５（ａ）参照）。
【００４８】
この状態では、図４（ｂ）および図５（ａ）に示すように、鍔片１３の底面と折板屋根３０の頂部３１ａ上面との間にわずかな隙間が形成される場合があるが、屋根上取付具Ａとボルト体Ｂとは螺合関係にあるので、屋根上取付具Ａを螺進回転させることで、頂部３１ａとの隙間をなくして密着させることができる（図５（ｂ）参照）。
【００４９】
こうして折板屋根３０に取り付けた屋根上取付具Ａの上板１１の上には、上板１１に立設された挟持具締付ボルト２１等によって各種機器・部材類Ｄを取り付けることができる（図５（ｂ）参照）。
【００５０】
このように、鍔片１３の分割雌ネジ凹所１３ａａと、ボルト体Ｂの雄ネジ部Ｂ１との螺合・挟着関係により、屋根上取付具Ａを折板屋根３０に強固に取り付けることができる。また、屋根上取付具Ａ自体を回転させて固定できるので、工具を使用せずに取付作業を楽に行える。
【００５１】
また、ボルト体Ｂと螺合するナットを必要としない構成であるため、部品点数を減らすことができる。さらに、ナットを使用しないため、鍔片１３を折板屋根３０の頂部３１ａ上面に密着させることができ、安定感を向上させることができる。もちろん、ナットを使用した構成であってもよい。
【００５２】
さらに、本実施形態では、屋根上取付具Ａを折板屋根３０に取り付けるためのボルト体Ｂは、屋根材連結用のものが兼用されているため、取付のための部品点数を少なくすることができる。
【００５３】
図６は、第１の実施形態で示した屋根上取付具Ａを、他種の折板屋根へ取り付ける前の状態を示す分解斜視図である。なお、本図例に示した屋根上取付具Ａは第１の実施形態と同一のものであるため、その詳細構造については説明を割愛する。
【００５４】
本図例で屋根上取付具Ａの取付対象となる折板屋根は、屋根材の連結をハゼ部Ｃによって行うハゼ式の折板屋根３０である。すなわち、このハゼ部Ｃは、両屋根材が頂部３１ａより重合、突設してなる屋根材重合基部Ｃ１を介して、その先端で結合された構造となっている。なお、ハゼ式の折板屋根３０の上面に断面略Ｌ字形に突出された角ハゼ等についても同様に適用可能である。
【００５５】
屋根上取付具Ａの折板屋根３０に対する施工手順は、図４、図５に示した施工手順とほぼ同様であるため図示を省略する。つまり、挟持具締付ボルト２１と締付ナット２２を締めた状態で折板屋根３０のハゼ部Ｃに対して仮止めし、さらに締め付けて、鍔片１３をハゼ部Ｃの屋根材重合基部Ｃ１に挟着させることができる。
【００５６】
このように、本図例のようなハゼ式の折板屋根３０の場合、屋根上取付具Ａの分割雌ネジ凹所１３ａａは用をなさないが、挟持具締付ボルト２１と締付ナット２２との締付によって両鍔片１３で対象物を挟み込む構造であるため、ハゼ式の折板屋根３０にも容易に適用できる。また、分割雌ネジ凹所１３ａａは鍔片１３の先端部１３ａの辺縁を切り欠いた形状となっているので、ハゼ部Ｃへの挟着には邪魔にはならない。
【００５７】
ついで、第２の実施形態について説明する。
【００５８】
図７は、本発明に係る屋根上取付具の第２の実施形態を示す分解斜視図であり、屋根上取付具を折板屋根へ取り付ける前の状態を示す分解斜視図である。図８は、同屋根上取付具を折板屋根へ取り付けた状態を示す斜視図である。図９は、同屋根上取付具の分解斜視図である。また、図１０（ａ）、（ｂ）および図１１（ａ）、（ｂ）は、同屋根上取付具の施工状態を示す断面図である。
【００５９】
なお、第１の実施形態で示した図１〜図４と共通する重ね式接合構造の折板屋根３０の構造については説明を省略する。
【００６０】
屋根上取付具Ａは、金属板または硬質樹脂板よりなり、折板屋根３０の頂部３１ａより上方に突出した重合部連結用の上記ボルト体Ｂに挟着して、取付、固定する構造となっている。
【００６１】
この屋根上取付具Ａは、一対の挟持部材１０を開閉自在に支点連結して挟持具１を形成し、挟持具１の作用点とされる相対向する一対の鍔片１３を相互近接させ固定して、折板屋根３０の頂部３１ａより突出したボルト体Ｂに挟着させる構造としたものであって、鍔片１３の先端部１３ａには、相互に対向し、内周が円弧形に湾曲した分割雌ネジ凹所が形成されており、それら２つの分割雌ネジ凹所は、ボルト体の雄ネジ部を挟み込んで噛合する構造となっている。なお、２つの挟持部材による挟持動作構造については、第１の実施形態に示した屋根上取付具と同じであるため、具体的な説明を省略する。
【００６２】
本実施形態では、両鍔片１３のそれぞれの先端部１３ａに、先端部１３ａの辺縁から上方に延びた起立片１３ｂが形成されている。これらの起立片１３ｂは、緊締前において、所定の空隙を介してほぼ平行に起立しており、それぞれの中央には、上下方向に沿って凹溝状の分割雌ネジ凹所（以下では、分割雌ネジ凹溝１３ｂａという）が形成されている。
【００６３】
分割雌ネジ凹溝１３ｂａは、両起立片１３ｂの対向両面に内周を半円形に湾曲させて形成したもので、内周面にはネジ溝が切られて雌ネジ部が形成されている。また、起立片１３ｂのその裏面側の中央には分割雌ネジ凹溝１３ｂａによってできた凸条が見られる。
【００６４】
この屋根上取付具Ａが折板屋根３０に正しく取り付けられたときには、図８に示すように、２つの分割雌ネジ凹溝１３ｂａがボルト体Ｂの雄ネジ部Ｂ１に隙間なく挟着する。このとき、雄ネジ部Ｂ１と分割雌ネジ凹溝１３ｂａとは、ネジ溝とネジ山が相互に噛み合って、強固な挟着関係が形成される。特に、分割雌ネジ凹溝１３ｂａは起立片１３ｂの全高にわたり形成されているので、ボルト体Ｂの雄ネジ部Ｂ１のほぼ全長にわたって鍔片１３の起立片１３ｂを挟着させることができる。なお、本実施形態においても、分割雌ネジ凹溝１３ｂａは雄ネジ部Ｂ１の周囲の一部に噛合できるものであってもよい。
【００６５】
以上のように構成した屋根上取付具Ａは、以下の要領で折板屋根３０に取り付けて使用する。
【００６６】
まず、屋根上取付具Ａを挟持具１の両鍔片１３が十分に開いた状態、つまり挟持具締付ボルト２１、締付ナット２２の螺合を緩めて、２つの挟持部材１０を開閉自在に支点連結しておき、折板屋根３０に立設されたボルト体Ｂの上方から、両鍔片１３間の間隙Ｓを通じてボルト体Ｂを嵌挿するようにして、屋根上取付具Ａを折板屋根３０の頂部３１ａの上面に載置する（図１０（ａ）、（ｂ）参照）。
【００６７】
次に、仮止め状態にしていた挟持具締付ボルト２１および締付ナット２２を締め付けていくと、揺動自在の緩んだ状態で交差状に重合していた両上板１１が平板状に近づき、ボルト体Ｂの雄ネジ部Ｂ１をその周囲を取り囲むように挟み込むとともに、分割雌ネジ凹溝１３ｂａと雄ネジ部Ｂ１とが相互に噛み合って、螺合関係を形成する（図１０（ｂ）、図１１（ａ）参照）。
【００６８】
この状態では、図１０（ｂ）および図１１（ａ）に示すように、鍔片１３の底面と折板屋根３０の頂部３１ａ上面との間にわずかな隙間が形成されることがあるが、屋根上取付具Ａとボルト体Ｂとは螺合関係にあるので、屋根上取付具Ａを螺進回転させることで、頂部３１ａとの隙間をなくして密着させることができる（図１１（ｂ）参照）。
【００６９】
こうして折板屋根３０に取り付けた屋根上取付具Ａの上板１１の上には、各種機器・部材類Ｄを取り付けることができる（図１１（ｂ）参照）。
【００７０】
このように、鍔片１３の起立片１３ｂに形成した分割雌ネジ凹溝１３ｂａと、ボルト体Ｂの雄ネジ部Ｂ１との間に螺合・挟着関係があるため、第１の実施形態で示した屋根上取付具Ａと同様に、屋根上取付具Ａを折板屋根３０に強固に安定的に取り付けることができる。また、屋根上取付具Ａ自体を螺進回転させて固定できるので、工具を使用せずに施工を楽に行える。また、分割雌ネジ凹所がボルト体Ｂの雄ネジ部Ｂ１を、より長い範囲で挟着できる凹溝形状となっているので、両者は強く連結される。
【００７１】
以上の第１、第２の実施形態では、屋根上取付具Ａを隣接する両屋根材の重合部３０ａに配した例を示したが、重合部３０ａが形成されていない山部の頂部に屋根上取付具Ａを取り付けてもよい。
【００７２】
また、以上の第１、第２の実施形態では、山部３１、谷部３２の方向に沿って両脚片１２、１２が配列されるように屋根上取付具Ａを配した例を示したが、波の方向に沿って両脚片１２、１２が配列されるように屋根上取付具Ａを配してもよい。
【００７３】
なお、屋根上取付具Ａは上記２種の方向に配することが望ましいが、それら以外のどのような方向に配してもよい。
【００７４】
また、上記屋根上取付具は、平板形（波形を形成していない）屋根に取り付けることも可能である。
【００７５】
なお、以上に示した実施形態では、分割雌ネジ凹所１３ａａまたは分割雌ネジ凹溝１３ｂａよりなる雌ネジ部が、ボルト体Ｂの雄ネジ部Ｂ１に螺合するものを示したが、両者はすくなくとも噛合関係にあればよく、確実に螺合関係が形成されなくてもよい。つまり、鍔片１３がボルト体Ｂに挟着して、分割雌ネジ凹所１３ａａまたは分割ネジ凹溝１３ｂａと雄ネジ部Ｂ１とが噛合したのちに螺進回転できないような構造であってもよい。
【００７６】
ついで、図１２を参照しながら、本発明に係る屋根上取付具のさらに他の実施形態について説明する。図１２（ａ）、（ｂ）、は、屋根上取付具の施工状態を示す概略正面図である。
【００７７】
この屋根上取付具Ａは、一対の挟持部材１０を開閉自在に支点連結して挟持具１を構成し、挟持具１の作用点とされる相対向した一対の鍔片１３を相互近接させ固定して、折板屋根３０の頂部３１ａより突出したボルト体Ｂに挟着させる構造としたものであって、鍔片１３の先端部に、相互に対向し、内周が円弧形に湾曲した分割雌ネジ凹所１３ａａが形成されたものである。
【００７８】
具体的には、この屋根上取付具Ａは、上記した第１、第２の実施形態のものとちがって、力点である操作片１７が支点の上方にあり、上記した実施形態と同様に、交差状に連結された支点の下方に脚片１２と鍔片１３とが延びている。そして、操作片１７を緊締ボルト２５、ナット２６等で締め付けることで、鍔片１３をボルト体Ｂに挟着させることができる。こうして取り付けた屋根上取付具Ａの操作片１７に、各種機器部材類Ｄを取り付けることができる。
【００７９】
なお、本発明の特徴部分である、鍔片１３の先端に形成された分割雌ネジ凹所１３ａａについては、上記した第１の実施形態と同一の構造であるため、その構造および効果についての説明は省略する。もちろん、この屋根上取付具Ａに、分割雌ネジ凹所１３ａａに代えて、第２の実施形態で示した分割雌ネジ凹溝１３ｂａ（図７参照）を適用することも可能である。
【符号の説明】
【００８０】
Ａ      屋根上取付具
１      挟持具
１０      挟持部材
１１      上板
１１ａ      基端部（基端）
１１ｂ      先端部（先端）
１１ｃ      段差部
１１ｄ      切り溝
１１ｅ      ボルト貫通孔
１１ｆ      押さえ爪
１２      脚片
１３      鍔片
１３ａ      先端部
１３ａａ      分割雌ネジ凹所
１３ｂ      起立片
１３ｂａ      分割雌ネジ凹溝（分割雌ネジ凹所）
１７      操作片
２１      挟持具締付ボルト
２２      締付ナット
２２ａ      ナット
２２ｂ      座金
２３      ボルト止め
３０      折板屋根（波形屋根）
３０ａ      重合部
３０ｂ      ボルト孔
３１      山部
３１ａ      頂部
３２      谷部
Ｂ      ボルト体
Ｂ１      雄ネジ部
Ｃ      ハゼ部
【図１】
2011047145.tif 000003
【図２】
2011047145.tif 000004
【図３】
2011047145.tif 000005
【図４】
2011047145.tif 000006
【図５】
2011047145.tif 000007
【図６】
2011047145.tif 000008
【図７】
2011047145.tif 000009
【図８】
2011047145.tif 000010
【図９】
2011047145.tif 000011
【図１０】
2011047145.tif 000012
【図１１】
2011047145.tif 000013
【図１２】
2011047145.tif 000014